(57)【要約】      （修正有）【課題】例えば恋人同士で向かい合い、一つのグラスに入れた甘いソーダーを一本のストローで仲良く飲むことを可能にした交換式の二股ストローを提供する。【解決手段】流動体を入れた容器内に先部を浸漬して流動体を容器外に吸引するストレートストロー２００の吸い口管部に、二股部１０１を着脱可能に接続しこれに一対の枝管１０１−１、１０１−２を接続し、枝管に蛇腹部１２０を介設し、枝管又は二股部に逆止弁４０１を設ける。【選択図】図１
0003225542.tif 000002
【実用新案登録請求の範囲】
【請求項１】
流動体を入れた容器内に先部を浸漬して前記流動体を容器外に吸引するストレートストローの吸い口管部に、二股部を着脱可能に接続しこれに一対の枝管を接続し、前記枝管に蛇腹部を介設してなることを特徴とする二股ストロー。
【請求項２】
前記二股部を弾粘性材料で成形したことを特徴とする請求項１に記載の二股ストロー。
【請求項３】
前記二股部又は枝管に逆止弁を設けたことを特徴とする請求項１に記載の二股ストロー。
【考案の詳細な説明】
【技術分野】
【０００１】  本考案はストレートストローに接続する交換式の二股ストローに関するものである。
【背景技術】
【０００２】  紀元前４千年〜３千年前頃、古代メソポタミア文明のシュメール人によって、ビールに関する製法が「モニュメント・ブルー」と呼ばれる陶板に描かれている。その作り方は、麦を乾燥して粉にして、焼いたパンを砕いて水を加え、自然の酵母で発酵させるというもの。そのビールを飲むときに、葦（アシ）のストローが使われたというものです。
古代のビールですから、沈殿物や浮遊物があるわけで、それらをよけて澄んだ所のビールを飲むのに葦のストローが使われたようである。
そんなわけで、ビールに限らず澄んだ水を飲むなど、昔から人間の知恵としてストローが使われていたと思料する。
近代日本におけるストローの始まりは、岡山県の南西部に位置する寄島町が発祥と言われています。寄島町史によると、明治時代に始まった真田の生産が原点で、麦稈真田（麦藁で真田紐のように編んだもの。）を用いた麦稈帽子（麦わら帽子）の生産が始まったのが明治３４年ごろで、同じ頃に、麦稈を原料としたストローの生産が川崎三一の手によって始められたとなっています。つまり、最初のストローは麦藁です。英語でｓｔｒａｗは、藁（ワラ）のことですので、ストローの名前は麦藁からきているのです。
麦稈ストローから始まったストローも、原料の麦稈が農業構造の変革から減産したことと、原料の品質が不揃いであることから、紙ストロー（紙麦藁帽子を巻いて筒状にしたストロー）へと移行するも、消費の伸びから需要に応じきれず、ビニールストローへと移行し、そして、現在のポリプロピレンを原料としたストローに至っている。
すなわち麦わらを模した中空の形状や用法は変わっていない事から現在でも変わらぬ『ストロー』という名で呼ばれ続けています。【０００３】  而して、近代のストローは、ストレートストローで流動体を入れた容器例えばジュース、牛乳、ソーダー水等を入れた缶、ペットボトル、グラス、紙パック等の内に先部を浸漬して前記流動体を容器外に吸引する利便性の高いストローとして活用されている。
そこでこのストレートストローは、従来は一本のストレートな成形体であるか、口元側（吸引側）近くに蛇腹ゾーンを設けて、口元側に曲げることを可能にして吸引し易くしてある。
また特許文献１にはＹ型にしたアベックストロー（図２）が紹介されている。
特許文献２には二本のストローを曲げ加工したツインのペアーストロー（図３）が紹介されている。
【先行技術文献】
【特許文献】
【０００４】
【特許文献１】実用新案登録第３０９６０３０号公報
【特許文献２】実用新案登録第３１１０７４４号公報
【考案の概要】
【考案が解決しようとする課題】
【０００５】  しかしながら前記従来のストレートストローは個人専用であり面白くない。
また特許文献１のＹ型ストロー及び特許文献２のツインストローは、いずれも恋人同士で向かい合い一つのグラスに入れた甘いソーダー等を飲むことが出来るが構造が複雑で製作が困難であるにもかかわらず使い捨てであり勿体ない。
本考案は、例えば恋人同士で向かい合い、一つのグラスに入れた甘いソーダーを一本のストレートストローに二股ストローを連結して交換可能にし、仲良く飲むことを可能にしたストローを提供する。
【課題を解決するための手段】
【０００６】  本考案は、前記課題を解決する技術的手段として次の（１）〜（３）を特徴とするものである。
（１）、流動体を入れた容器内に先部を浸漬して前記流動体を容器外に吸引するストレートストローの吸い口管部に、二股部を着脱可能に接続しこれに一対の枝管を接続し、前記枝管に蛇腹部を介設してなることを特徴とする二股ストロー。
（２）、前記二股部を弾粘性材料で成形したことを特徴とする（１）に記載の二股ストロー。
（３）、前記二股部又は枝管に逆止弁を設けたことを特徴とする（１）に記載の二股ストロー。
【考案の効果】
【０００７】  本考案は、例えば恋人同士で向かい合い、或いは幼児と向かい合い、又は孫娘と向かい合い、更には親子で向かい合い、一つのグラスに入れた甘いソーダー等の飲料等を一本のストレートストローに前記二股ストローを簡単に接続して仲良く吸引しあって飲むことを簡単に可能にした素敵な且つ面白い二股ストローである。
【図面の簡単な説明】
【０００８】
【図１】本考案の二股ストローの実施例を示す側面説明図であり、（１）は二股ストローの二股部の口元側に蛇腹ゾーンを形成介設した例であり、（２）は二本の枝管に逆止弁を設けた例である。
【図２】従来のアベックストローを示す側面図である。
【図３】従来のペアーストローを示す側面図である。
【考案を実施するための態様】
【０００９】  本考案の実施態様は、図１に示す実施例により詳細に説明する。
図１に示す二股ストロー１００は、１本のストレートストロー２００の吸い口側の管部に、二股部１０１を着脱可能に接続し、二股部１０１に二本の枝管１０１−１、１０１−２を接続した交換自在なものである。
二本の枝管１０１−１、１０１−２には根元に蛇腹部１２０を介設してあり、未使用時には折り曲げて二本の枝管１０１−１、１０１−２を平行に並べて扱いやすくしておくことが出来る。
この二股ストロー１００は、１本のストレートストロー２００の先部２０３を、飲料３０１を収容したグラス３００内に、挿入して飲料内に浸漬し、その上部の管部に二股部１０１を接続する。そして二本の枝管１０１−１、１０１−２を向き合う二人の口元側に曲げて向け二人で同時に吸引ドリンクすることを可能にしたものである。
【００１０】  二股部１０１は弾粘性材料で成形する。例えばゴム製、合成樹脂製にして、１本のストレートストロー２００の口径に合わせて柔軟に接続可能に成形する。
これで二股部１０１とこれに接続してある蛇腹部１２０付きの二本の枝管１０１−１、１０１−２は、レストランや喫茶店などに用意していなくても個人的に携帯するなどして清潔に洗っておけば何回でも使用することができる、重宝タイプである。
【００１１】  また二股部１０１又は二本の枝管１０１−１、１０１−２には吸い口に簡単な逆止弁４０１を有する着脱式のパイプ４００を接続しておけば、二本の枝管１０１−１、１０１−２の一方からの吸い込み飲み及び両方からの吸い込み飲みが自在であるなど利便性の高い二股ストローとなるのである。
【産業上の利用可能性】
【００１２】  本考案の二股ストローは、前記の優れた作用効果を呈するものであり、ドリンク業界に貢献すること多大なものある。
【符号の説明】
【００１３】  １００：二股ストロー
１０１：二股部
１０１−１、１０１−２：二本の枝管
１２０：蛇腹部
３０１：飲料
３００：グラス
１０３：先部
２００：ストレートストロー
４０１：逆止弁
４００：逆止弁４０１を有するパイプ
【図１】
0003225542.tif 000003
【図２】
0003225542.tif 000004
【図３】
0003225542.tif 000005